(57)【要約】 【課題】  カメラを首などから吊り下げるためのストラップにおいて、丸紐と二重リングを直接相接触させないように構成することにより、前記二重リングに起因する前記丸紐の損傷を防ぐことが可能となるカメラ用ストラップを提供することにある。【解決手段】  カメラ用ストラップ１０を丸紐１２と、丸紐１２の両端に設けた輪穴に装着した接続子１４と、接続子１４の下端部に装着した二重リング１６とからなる構成にし、接続子１４は皮材またはプラスチック材からなるＵ字状部材１４ａを該両端に設けた穴１４ｂ、１４ｃを相合わせた状態で、金属カシメ１４ｄによりカシメることによって成形した。【選択図】      図４
0003108894.tif 000002
【実用新案登録請求の範囲】
【請求項１】
カメラを吊り下げるためのストラップであって、前記ストラップは、丸紐と、前記丸紐の両端に設けた輪穴に装着した接続子と、前記接続子の下端部に装着した二重リングとを備えるとともに、前記接続子は、皮またはプラスチックからなるＵ字状部材で構成され、該両端に設けた二つの穴を相合わせた状態で、該二つの穴を金属カシメによりカシメることで成形されていることを特徴とするカメラ用ストラップ。
【考案の詳細な説明】
【技術分野】
【０００１】
本考案は、カメラを首などから吊り下げるために用いるカメラ用ストラップに関するものである。
【背景技術】
【０００２】
通常、カメラにはストラップが取り付けられていて、前記ストラップを首や肩に掛けて携帯することができるようになっている。このカメラ用のストラップは平編紐（皮紐等含む）からなるのが一般的であるが、その場合には、写真撮影時やカメラの持ち運び時等において、前記平編紐が捩れることがあり表裏を常に意識しなくてはならず、非常に煩わしさがあった。
【０００３】
そのため、近年では、図５に示すように、人体（特に手さばき）に馴染み良好であると一般的に言われている、丸紐１２をカメラ用ストラップ１０に用いることがある。そうすることで、写真撮影時やカメラの持ち運び時などに、前記平編紐の場合のように、紐の表裏について常に意識することがなくなるため、撮影等に集中できるようになる。
【考案の開示】
【考案が解決しようとする課題】
【０００４】
しかしながら、上述した丸紐１２からなるカメラ用ストラップ１０は、丸紐１２の両端に設けたカメラ支持部穴１３に、２重リング１６を直接取り付ける構成を採っているため、写真撮影や持ち運びなどによるカメラの動きに伴った２重リング１６の回転等が生じると、２重リング１６が有する先端鋭角部分１７によって丸紐１２の素糸破断が引き起こされてしまうおそれがあり、使い勝手が非常に悪いという欠点が指摘されていた。
【０００５】
本考案は、上述のような実情に鑑みなされたもので、その目的とするところは、カメラ用ストラップにおける丸紐と二重リングを直接相接触させないように構成することによって、前記二重リングに起因する前記丸紐の損傷を防ぐことが可能となるカメラ用ストラップを提供することにある。
【課題を解決するための手段】
【０００６】
本考案は、上記目的を達成するために、次の技術的手段を講じている。
即ち、請求項１に係るカメラ用ストラップは、丸紐と、前記丸紐の両端に設けた輪穴に装着した接続子と、前記接続子の下端部に装着した二重リングとを備えるとともに、前記接続子は、皮またはプラスチックからなるＵ字状部材で構成され、該両端に設けた二つの穴を相合わせた状態で、該二つの穴を金属カシメによりカシメることで成形されていることを特徴としている。
【考案の効果】
【０００７】
本考案に係るカメラ用ストラップは、前記ストラップを丸紐と、前記丸紐の両端に設けた輪穴に装着した接続子と、前記接続子の下端部に装着した二重リングとからなり、前記丸紐と、前記二重リングとが直接接触することがないため、撮影時のカメラの動きなどによる前記二重リングの回転等を原因とした前記丸紐の素糸破断を防止することができる。
【０００８】
またさらに、本考案によれば前記接続子は、皮またはプラスチックからなるＵ字状部材であり、該両端に設けた二つの穴を相合わせた状態で、該二つの穴を金属カシメによりカシメることにより成形しているので、前記丸紐と前記接続子との接触部分が、前記金属カシメの筒の滑面となるため、前記丸紐と前記接続子の摩擦などによる前記丸紐の切断等を防止することができる。
【考案を実施するための最良の形態】
【０００９】
以下、本考案に係るカメラ用ストラップの実施形態を図面を参照して説明する。尚、背景技術の項で説明した部材と同一又は相当する部材には同一の符号を付す。
図４は、本考案に係るカメラ用ストラップ１０をカメラ２０に取り付けた状態の全体図である。カメラ用ストラップ１０は、図１に示すような丸紐１２と、丸紐１２の両端に設けた輪穴に装着した図２に示すような接続子１４と、接続子１４の下端部に装着した二重リング１６とからなっている。
【００１０】
丸紐１２の両端に装着した接続子１４は、図２に示すように、皮材またはプラスチック材からなるＵ字状部材１４ａをＵ字状部材１４ａの両側に設けた穴１４ｂ、１４ｃを相合わせた状態で、金属カシメ１４ｄによりカシメることで成形する。
【００１１】
ここで、金属カシメ１４ｄはその筒内部表面が非常に滑らかであるため、丸紐１２に接続子１４を装着した際の、丸紐１２と接続子１４との間に生じる摩擦などによる丸紐１２の切断等を防止することができる。
【００１２】
次に、接続子１４の下端部に装着した二重リング１６は、図３に示すように装着するが、その装着は、接続子１４の成型時、即ちＵ字状部材１４ａの両端に設けた穴１４ｂ、１４ｃを相合わせる時にあらかじめ装着するのでもよいし、また、丸紐１２と接続子１４とを装着した後に嵌め込んで装着しても良い。
【００１３】
また、図４は本考案に係るカメラ用ストラップの実施例を示した図で、二重リング１６にカメラ２０の接続端子２２を嵌め込んでいる。これにより、カメラ２０が本考案に係るカメラ用ストラップ１０に固定されるので、衝撃等により外れることはない。
【００１４】
またさらに、撮影者の移動等によりカメラ２０が振動し、その振動により二重リング１６が回転しても、接続子１４に取り付けた金属カシメ１４ｄの筒の中に丸紐１２が通っているため、二重リング１６の先端鋭角部分１７が丸紐１２と当たることがなく、丸紐１２へのダメージとなることはない。
【産業上の利用可能性】
【００１５】
本考案に係るカメラ用ストラップは、撮影時等のカメラの振動を要因とする紐へのダメージが無いため、人体（特に手さばき）に馴染み良好と一般的に言われている丸紐をカメラ用ストラップとして利用することができる。
【図面の簡単な説明】
【００１６】
【図１】本考案に係るカメラ用ストラップに用いる丸紐の実施形態を示した図である。
【図２】本考案に係るカメラ用ストラップに用いる接続子の実施形態を示した図である。
【図３】本考案に係るカメラ用ストラップの実施形態の要部を示した図である。
【図４】本考案に係るカメラ用ストラップの実施形態をカメラにつないだ状態を示した図である。
【図５】従来のカメラ用ストラップを示した図である。
【符号の説明】
【００１７】
１０    カメラ用ストラップ
１２    丸紐
１３    カメラ支持部穴
１４    接続子
１４ａ  Ｕ字状部材
１４ｂ、１４ｃ  穴
１４ｄ  金属カシメ
１６    二重リング
１７    先端鋭角部分
２０    カメラ
２２    接続端子
【図１】
0003108894.tif 000003
【図２】
0003108894.tif 000004
【図３】
0003108894.tif 000005
【図４】
0003108894.tif 000006
【図５】
0003108894.tif 000007